【手続補正書】
【提出日】平成30年6月11日(2018.6.11)
【手続補正１】
【補正対象書類名】特許請求の範囲
【補正対象項目名】全文
【補正方法】変更
【補正の内容】
【特許請求の範囲】
【請求項１】
１０２４トーンプランに従ってワイヤレス通信のためのメッセージを生成することと、前記１０２４トーンプランが９８０個のデータトーンと１６個のパイロットトーンとを備える、
８０ＭＨｚ帯域幅上での送信のために前記メッセージを供給することと
を備える、ワイヤレス通信の方法。
【請求項２】
１０の低密度パリティチェック（ＬＤＰＣ）トーンマッピング距離（ＤＴＭ）を使用して前記メッセージのトーンをマッピングすることをさらに備える、請求項１に記載の方法。
【請求項３】
１４の低密度パリティチェック（ＬＤＰＣ）トーンマッピング距離（ＤＴＭ）を使用して前記メッセージのトーンをマッピングすることをさらに備える、請求項１に記載の方法。
【請求項４】
２０の低密度パリティチェック（ＬＤＰＣ）トーンマッピング距離（ＤＴＭ）を使用して前記メッセージのトーンをマッピングすることをさらに備える、請求項１に記載の方法。
【請求項５】
前記１０２４トーンプランが５つの直流トーンを備える、請求項１に記載の方法。
【請求項６】
前記１０２４トーンプランが１２個の左ガードトーンと１１個の右ガードトーンとを備える、請求項１に記載の方法。
【請求項７】
前記１０２４トーンプランが、１２個の左ガードトーンと、１１個の右ガードトーンと、５つの直流トーンと、９８０個のデータトーンと、１６個のパイロットトーンとを備える、請求項１に記載の方法。
【請求項８】
前記方法が移動局上で行われ、ここにおいて、前記８０ＭＨｚ帯域幅上での送信のために前記メッセージを供給することが、前記移動局をサービスするアクセスポイントに、前記移動局の送信機およびアンテナを通して前記メッセージを送信することを備える、請求項１に記載の方法。
【請求項９】
前記方法がアクセスポイント上で行われ、ここにおいて、前記８０ＭＨｚ帯域幅上での送信のために前記メッセージを供給することが、前記アクセスポイントによってサービスされる移動局に、前記アクセスポイントの送信機およびアンテナを通して前記メッセージを送信することを備える、請求項１に記載の方法。
【請求項１０】
１０２４トーンプランに従ってワイヤレス通信のためのメッセージを生成するための手段と、前記１０２４トーンプランが９８０個のデータトーンと１６個のパイロットトーンとを備える、
８０ＭＨｚ帯域幅上での送信のために前記メッセージを供給するための手段と
を備える、ワイヤレス通信のための装置。
【請求項１１】
前記１０２４トーンプランが５つの直流トーンを備える、請求項１０に記載の装置。
【請求項１２】
前記１０２４トーンプランが１２個の左ガードトーンと１１個の右ガードトーンとを備える、請求項１０に記載の装置。
【請求項１３】
前記１０２４トーンプランが、１２個の左ガードトーンと、１１個の右ガードトーンと、５つの直流トーンと、９８０個のデータトーンと、１６個のパイロットトーンとを備える、請求項１０に記載の装置。
【請求項１４】
前記装置が移動局であり、ここにおいて、前記移動局が、
アンテナと、
前記移動局をサービスするアクセスポイントに、前記アンテナを通して前記メッセージを送信するための手段と、
をさらに備える、請求項１０に記載の装置。
【請求項１５】
実行されたとき、コンピュータに、請求項１乃至９のいずれかに従った方法を行わせる命令を備えるコンピュータ可読媒体。
【手続補正２】
【補正対象書類名】明細書
【補正対象項目名】０１３８
【補正方法】変更
【補正の内容】
【０１３８】
[00150]  上記は本開示の態様を対象とするが、本開示の他の態様およびさらなる態様は、それの基本的範囲から逸脱することなく考案され得、それの範囲は以下の特許請求の範囲によって決定される。
以下に本願発明の当初の特許請求の範囲に記載された発明を付記する。
［Ｃ１］  ワイヤレス通信を行うように構成された装置であって、
命令を記憶するメモリと、
前記メモリに結合され、
１０２４トーンプランに従ってワイヤレス通信のためのメッセージを生成することと、前記１０２４トーンプランが９８０個のデータトーンと１６個のパイロットトーンとを備える、
８０ＭＨｚ帯域幅上での送信のために前記メッセージを供給することと
を行うために前記命令を実行するように構成されたプロセッサと
を備える、装置。
［Ｃ２］  前記プロセッサが、１０の低密度パリティチェック（ＬＤＰＣ）トーンマッピング距離（ＤＴＭ）を使用して前記メッセージのトーンをマッピングするために前記命令を実行するようにさらに構成された、Ｃ１に記載の装置。
［Ｃ３］  前記プロセッサが、１４の低密度パリティチェック（ＬＤＰＣ）トーンマッピング距離（ＤＴＭ）を使用して前記メッセージのトーンをマッピングするために前記命令を実行するようにさらに構成された、Ｃ１に記載の装置。
［Ｃ４］  前記プロセッサが、２０の低密度パリティチェック（ＬＤＰＣ）トーンマッピング距離（ＤＴＭ）を使用して前記メッセージのトーンをマッピングするために前記命令を実行するようにさらに構成された、Ｃ１に記載の装置。
［Ｃ５］  前記１０２４トーンプランが５つの直流トーンを備える、Ｃ１に記載の装置。
［Ｃ６］  前記１０２４トーンプランが１２個の左ガードトーンと１１個の右ガードトーンとを備える、Ｃ１に記載の装置。
［Ｃ７］  前記１０２４トーンプランが、１２個の左ガードトーンと、１１個の右ガードトーンと、５つの直流トーンと、９８０個のデータトーンと、１６個のパイロットトーンとを備える、Ｃ１に記載の装置。
［Ｃ８］  前記装置が移動局であり、ここにおいて、前記プロセッサが、前記移動局をサービスするアクセスポイントに、前記移動局の送信機およびアンテナを通して前記メッセージを送信するように構成されることによって、前記８０ＭＨｚ帯域幅上での送信のために前記メッセージを供給するように構成された、Ｃ１に記載の装置。
［Ｃ９］  前記装置がアクセスポイントであり、ここにおいて、前記プロセッサが、前記アクセスポイントによってサービスされる移動局に、前記アクセスポイントの送信機およびアンテナを通して前記メッセージを送信するように構成されることによって、前記８０ＭＨｚ帯域幅上での送信のために前記メッセージを供給するように構成された、Ｃ１に記載の装置。
［Ｃ１０］  １０２４トーンプランに従ってワイヤレス通信のためのメッセージを生成することと、前記１０２４トーンプランが９８０個のデータトーンと１６個のパイロットトーンとを備える、
８０ＭＨｚ帯域幅上での送信のために前記メッセージを供給することと
を備える、ワイヤレス通信の方法。
［Ｃ１１］  １０の低密度パリティチェック（ＬＤＰＣ）トーンマッピング距離（ＤＴＭ）を使用して前記メッセージのトーンをマッピングすることをさらに備える、Ｃ１０に記載の方法。
［Ｃ１２］  １４の低密度パリティチェック（ＬＤＰＣ）トーンマッピング距離（ＤＴＭ）を使用して前記メッセージのトーンをマッピングすることをさらに備える、Ｃ１０に記載の方法。
［Ｃ１３］  ２０の低密度パリティチェック（ＬＤＰＣ）トーンマッピング距離（ＤＴＭ）を使用して前記メッセージのトーンをマッピングすることをさらに備える、Ｃ１０に記載の方法。
［Ｃ１４］  前記１０２４トーンプランが５つの直流トーンを備える、Ｃ１０に記載の方法。
［Ｃ１５］  前記１０２４トーンプランが１２個の左ガードトーンと１１個の右ガードトーンとを備える、Ｃ１０に記載の方法。
［Ｃ１６］  前記１０２４トーンプランが、１２個の左ガードトーンと、１１個の右ガードトーンと、５つの直流トーンと、９８０個のデータトーンと、１６個のパイロットトーンとを備える、Ｃ１０に記載の方法。
［Ｃ１７］  前記方法が移動局上で行われ、ここにおいて、前記８０ＭＨｚ帯域幅上での送信のために前記メッセージを供給することが、前記移動局をサービスするアクセスポイントに、前記移動局の送信機およびアンテナを通して前記メッセージを送信することを備える、Ｃ１０に記載の方法。
［Ｃ１８］  前記方法がアクセスポイント上で行われ、ここにおいて、前記８０ＭＨｚ帯域幅上での送信のために前記メッセージを供給することが、前記アクセスポイントによってサービスされる移動局に、前記アクセスポイントの送信機およびアンテナを通して前記メッセージを送信することを備える、Ｃ１０に記載の方法。
［Ｃ１９］  １０２４トーンプランに従ってワイヤレス通信のためのメッセージを生成するための手段と、前記１０２４トーンプランが９８０個のデータトーンと１６個のパイロットトーンとを備える、
８０ＭＨｚ帯域幅上での送信のために前記メッセージを供給するための手段と
を備える、ワイヤレス通信のための装置。
［Ｃ２０］  実行されたとき、装置に、
１０２４トーンプランに従ってワイヤレス通信のためのメッセージを生成することと、前記１０２４トーンプランが９８０個のデータトーンと１６個のパイロットトーンとを備える、
８０ＭＨｚ帯域幅上での送信のために前記メッセージを供給することと
を行わせる命令を備える非一時的コンピュータ可読媒体。